(57)【要約】【課題】  入力チャンネルの信号を検聴する際にリアルタイムなＣＵＥ信号をモニタできるようにする。【解決手段】  入力チャンネルがＣＵＥされた際には、切換スイッチＳＷが接点ｂ側へ自動的に切り換わりＣＵＥバス４６からのＣＵＥ信号はＣＵＥ遅延部８０をバイパスするようになる。これにより、リアルタイムな入力チャンネルの信号をＣＵＥすることができる。出力チャンネルがＣＵＥされた際には、切換スイッチＳＷが接点ａ側へ自動的に切り換わりＣＵＥバス４６からのＣＵＥ信号はＣＵＥ遅延部８０で遅延される。これにより、メインのスピーカから聴こえてくる音響と、オペレータが検聴しているＣＵＥ信号との時間差を吸収できるようになる。【選択図】  図６
2005252328.tif 000002
【特許請求の範囲】
【請求項１】
複数の入力チャンネルからの信号をミキシングするミキシング手段を備え、該ミキシング手段によりミキシングされた信号を出力チャンネルへ出力するミキシング装置において、
前記出力チャンネルに設けられ、他の出力チャンネルの信号との位相関係を調整するチャンネル遅延手段と、
前記ミキシング手段のミキシング状態を変化させることなく前記入力チャンネルの信号あるいは前記出力チャンネルにおける前記チャンネル遅延手段の前の信号を検聴するＣＵＥ手段と、
前記出力チャンネルから出力される信号をモニタするモニタ手段と、
放音された前記出力チャンネルの音が所定位置に達するまでの伝播時間を吸収するよう前記ＣＵＥ手段で検聴されるＣＵＥ信号を遅延するＣＵＥ遅延手段と、放音された前記出力チャンネルの音が所定位置に達するまでの伝播時間を吸収するよう前記モニタ手段でモニタされるモニタ信号を遅延するモニタ遅延手段とからなるモニタ・ＣＵＥ遅延手段とを備え、
前記ＣＵＥ手段により前記入力チャンネルの信号を選択した際には、前記ＣＵＥ遅延手段がバイパスされて検聴される前記入力チャンネルにおけるＣＵＥ信号に遅延がかからないようにしたことを特徴とするミキシング装置。
【請求項２】
前記ＣＵＥ手段では、前記複数の入力チャンネルの一つの入力チャンネルの信号あるいは前記複数の出力チャンネルの一つの出力チャンネルの信号だけを検聴するラストＣＵＥモードと、前記複数の入力チャンネルの二つ以上の入力チャンネルの信号あるいは前記複数の出力チャンネルの二つ以上の出力チャンネルの信号を検聴可能なミックスＣＵＥモードとを有していることを特徴とする請求項１記載のミキシング装置。
【発明の詳細な説明】
【技術分野】
【０００１】
この発明は、入力チャンネルあるいは出力チャンネルの信号を検聴することのできるミキシング装置に関する。
【背景技術】
【０００２】
従来、多数のマイクロホンあるいは電気・電子楽器などから出力される信号のレベルや周波数特性を調整し、ミキシングしていくつかのミキシング・グループにまとめてパワーアンプや各種録音機器に送り出したり、エフェクタや演奏しているプレーヤに送り出すミキシング装置が知られている。ミキシング装置を操作するオペレータは、楽器音や歌唱の各オーディオ信号の音量や音色を、ミキシング・コンソールにおける各種パネル操作子を操作することにより、演奏を最もふさわしく表現していると思われる状態に調整している。ミキシング装置は、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。各出力チャンネルはミキシングバスから入力されるミキシング信号のレベルを制御して出力している。
【発明の開示】
【発明が解決しようとする課題】
【０００３】
このようなミキシング装置においては、ミキシング手段におけるミキシング状態を変化させずに、ある入力チャンネルあるいは出力チャンネルの信号を検聴するためのＣＵＥ機能と、出力チャンネルから出力されてスピーカに供給される信号をモニタするモニタ機能とが一般的に備えられている。ＣＵＥ機能を有するミキシング装置では、各入力チャンネルあるいは各出力チャンネルを制御しているチャンネルストリップのＣＵＥスイッチをオンすることにより、選択した入力チャンネルあるいは出力チャンネルの信号がＣＵＥバスに入力され、そのＣＵＥバスの信号（ＣＵＥ信号）がオペレータのモニタ用サウンドシステムであるヘッドフォンやスピーカなどから出力されるようになる。
【０００４】
この場合、少なくとも出力チャンネルには、他の出力チャンネルの信号との位相関係を調整するために、その出力チャンネルの信号の遅延量を制御するチャンネル遅延を設定するチャンネル遅延手段が設けられている。出力チャンネルのチャンネル遅延は、メインのスピーカから出力される音響における聴衆の聴いている位置における定位状態を整えるために調整される。モニタ機能においては、このチャンネル遅延手段で遅延された信号をモニタするように、チャンネル遅延手段からの信号をモニタ信号としている。
また、ミキシング装置のオペレータの位置において、メインのスピーカから聴こえてくる音響は伝搬遅延を伴っており、オペレータが検聴しているモニタ信号あるいはＣＵＥ信号との時間差を吸収するため、モニタ信号を遅延する遅延手段とＣＵＥ信号を遅延する遅延手段からなるモニタ＆ＣＵＥ遅延部が設けられている。
【０００５】
このモニタ＆ＣＵＥ遅延部では入力チャンネルの信号をＣＵＥしたときにもそのＣＵＥ信号にＣＵＥ遅延がかかるようになっていた。しかしながら、入力チャンネルの信号はミキシング前の信号であってメインのスピーカから出力される音響信号の一部でしかないことから、その音響信号と位相を合わせて検聴しなければならない必要性はない。むしろ、入力チャンネルの信号を検聴する場合には遅延されていないリアルタイムなＣＵＥ信号をモニタすることが望まれるが、従来のミキシング装置では入力チャンネルの信号を検聴する際にモニタ＆ＣＵＥ遅延部で遅延されるためリアルタイムなＣＵＥ信号をモニタすることができないという問題点があった。
【０００６】
そこで、本発明は入力チャンネルの信号を検聴する際にリアルタイムなＣＵＥ信号をモニタすることのできるミキシング装置を提供することを目的としている。
【課題を解決するための手段】
【０００７】
上記目的を達成するために、本発明のミキシング装置は、ＣＵＥ手段により入力チャンネルの信号を選択した際には、モニタ・ＣＵＥ遅延手段がバイパスされて検聴される入力チャンネルの信号に遅延がかからないようにしたことを最も主要な特徴としている。
【発明の効果】
【０００８】
本発明によれば、ＣＵＥ手段により入力チャンネルの信号を選択した際には、モニタ・ＣＵＥ遅延手段がバイパスされて検聴される入力チャンネルの信号に遅延がかからないようにしたことにより、入力チャンネルの信号を検聴する際にリアルタイムなＣＵＥ信号をモニタすることができるようになる。
【発明を実施するための最良の形態】
【０００９】
入力チャンネルの信号を検聴する際にリアルタイムなＣＵＥ信号をモニタするという目的を、ＣＵＥ手段により入力チャンネルの信号を選択した際には、モニタ・ＣＵＥ遅延手段がバイパスされて検聴される入力チャンネルの信号に遅延がかからないようにすることで実現した。
【００１０】
本発明のミキシング装置の実施例であるディジタルミキサの構成を示すブロック図を図１に示す。
図１に示す本発明の実施例に係るディジタルミキサ１において、ディジタルミキサ１の全体の動作を制御すると共に、ミキシング用の操作子の操作に応じて制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してディジタルミキサ１に接続される。
【００１１】
ディジタルミキサ１の全ての入力と全ての出力は波形Ｉ／Ｏ（波形データインタフェース）１４で行われる。この波形Ｉ／Ｏ１４は、入力用として外部から入力するアナログ信号をディジタル信号に変換するＡＤ変換器を備えたアナログ入力ポートや、外部からディジタル信号を入力するディジタル入力ポートを複数備えており、出力用としてディジタル信号をアナログ信号に変換するＤＡ変換器を備えたアナログ出力ポートやディジタル信号を出力するディジタル出力ポートを複数備えている。また、波形Ｉ／Ｏ１４には、アナログ信号のモニタ信号を出力するモニタ用ポートも備えられている。このモニタ用ポートからのモニタ用信号が操作者用モニタ２０に供給されて、オペレータルームのオペレータがミキシング状態を変化させずに、ある入力チャンネルあるいは出力チャンネルの信号や出力チャンネルから出力されてスピーカ等に供給される信号を検聴することができるようになる。さらに、信号処理部１５は多数のＤＳＰ（Digital Signal Processor）を用いて構成されており、ＣＰＵ１０の制御の元でミキシング処理やエフェクト処理などを行っている。
【００１２】
表示器１６は、出力パッチの設定画面等を表示する液晶表示装置等からなるディスプレイである。電動フェーダ１７は、ミキシングバス（ＭＩＸバス）等のバスへ送り出される信号の出力レベルや、それらのバスから出力された信号の出力レベルを調整するフェーダであり、手動および電動により調整することができる。操作子１８は、表示器１６におけるモニタ用セレクタスイッチ、モニタ信号やＣＵＥ信号の位相を調整する遅延調整ボリューム、１２チャンネル設けられているチャンネルストリップを１〜１２出力チャンネル、１〜１２入力チャンネル、１３〜２４入力チャンネルのいずれかに割り当てる割当スイッチ、表示器１６に表示されるカーソルを移動するカーソル移動キー、設定される値を増減する増減キー、設定される値を選択するロータリエンコーダ、設定した値を確定させるエンターキー等からなる操作子である。各部はバス１９に接続されている。
なお、操作者用モニタ２０では出力パッチに供給されている信号のうちの任意の１ないし複数の信号を選択してモニタすることができ、複数の信号が選択されている場合、それらの混合信号が操作者用モニタ２０へ出力される。そして、何れかのチャンネルがＣＵＥされると、その操作者用モニタ２０に出力されている混合信号がオフないし減衰され、その代わりにＣＵＥバスからの信号がモニタへ出力されるようになる。また、ミキサにＣＵＥ専用出力がある場合は、ＣＵＥバスの信号（ＣＵＥ信号）が常時そこへ出力されるようになる。
【００１３】
本発明にかかるディジタルミキサ１におけるパネルの外観の概略を図２に示す。
図２において、表示器１６の下側には、１２チャンネル分のチャンネルストリップ２１が設けられている。このチャンネルストリップ２１には、そのチャンネルストリップ２１に割り当てられたチャンネルを選択する選択スイッチ（ＳＥＬ）２１ａと、そのチャンネルをオンするチャンネルスイッチ２１ｂと、割り当てられたチャンネルのレベルを制御する電動フェーダ１７におけるフェーダつまみ２１ｃと、割り当てられたチャンネルをＣＵＥするＣＵＥスイッチ２１ｄが設けられている。このチャンネルストリップ２１は、全入力チャンネルおよび出力チャンネルに対応しており、１２チャンネル毎の入力チャンネルあるいは１２チャンネルの出力チャンネルが１２チャンネル分のチャンネルストリップ２１でそれぞれ制御できるようになる。すなわち、右側の中段に設けられている「マスタ１」のスイッチ２６を押すことにより、１２チャンネル分のチャンネルストリップ２１により１〜１２出力チャンネルがそれぞれ制御できるようになる。また、「マスタ１」のスイッチ２６の下の「レイヤ１」のスイッチ２７を押すことにより、１２チャンネル分のチャンネルストリップ２１により１〜１２入力チャンネルがそれぞれ制御できるようになり、「レイヤ１」スイッチ２７の下の「レイヤ２」のスイッチ２８を押すことにより、１２チャンネル分のチャンネルストリップ２１により１３〜２４入力チャンネルがそれぞれ制御できるようになる。このようにして、１２チャンネルの出力チャンネルと、２４チャンネルの入力チャンネルのレベル制御やＣＵＥ設定を、１２チャンネル分のチャンネルストリップ２１により制御できるようにしている。
【００１４】
また、表示器１６の右上には８個のスイッチからなるモニタ用セレクタスイッチ２２が設けられており、このモニタ用セレクタスイッチ２２を操作することにより、表示器１６に種々の値を設定する設定画面やメニュー画面を表示することができる。また、モニタ用セレクタスイッチ２２の下には、メインのスピーカから聞こえてくる音響と、オペレータが検聴しているモニタ信号およびＣＵＥ信号との時間差を吸収するための遅延調整ボリュームを回すモニタ＆ＣＵＥ遅延調整つまみ２３が設けられている。さらに、モニタ＆ＣＵＥ遅延調整つまみ２３の下にはヘッドフォン端子２５と、ヘッドフォン端子２５から出力されるモニタ用アナログ信号の音量を調整するヘッドフォン音量つまみ２４が設けられている。さらに、ヘッドフォン端子２５の下には、前記した「マスタ１」のスイッチ２６、「レイヤ１」のスイッチ２７、「レイヤ２」のスイッチ２８が設けられており、その下に表示器１６に表示されるカーソルを上下左右に移動させるカーソル移動キー２９と、種々の設定する値を増減する増減キー３０と、種々の設定する値を選択するロータリエンコーダ３１と、増減キー３０やロータリエンコーダ３１により選択された設定値を確定させるエンターキー３２とが設けられている。
【００１５】
次に、本発明にかかる図１に示す構成のディジタルミキサ１においてミキシング処理が行われる等価的な機能ブロック図を図３に示す。
図３において、複数のアナログ入力ポートを備えるアナログ入力部（Ａ入力）４０に入力されたアナログ信号は、内蔵されているＡＤ変換器によりディジタル信号に変換されて入力パッチ４３に入力される。また、複数のディジタル入力ポートを備えるディジタル入力部（Ｄ入力）４１に入力されたディジタル信号は、入力パッチ４３に入力される。さらに、ディジタルミキサ１には、例えば８個のエフェクタからなる内蔵エフェクタ４２が用意されており、この内蔵エフェクタ４２によりエフェクトの付与された信号も入力パッチ４３に入力される。ここで、内蔵エフェクタ４２の各エフェクタは、当該エフェクタへの複数の信号の入力部としての仮想的な複数のディジタル出力ポートと、当該エフェクタにより効果の付与された複数の信号の出力部としての仮想的な複数のディジタル入力ポートとを有している。
【００１６】
入力パッチ４３では、信号の入力元である複数の入力ポートの何れか１つの入力ポートを、例えば２４チャンネルとされる複数の入力チャンネル部４４の各入力チャンネル毎に選択的にパッチ（結線）することができ、各入力チャンネルには、入力パッチ４３でパッチされた入力ポートからの信号が供給される。入力チャンネル部４４における各入力チャンネルには、リミッタ、コンプレッサ、イコライザ、チャンネル遅延手段、フェーダのＭＩＸバス４５およびＣＵＥバス４６へのレベル調整部が備えられており、これらの入力チャンネルにおいて、周波数特性およびＭＩＸバス４５およびＣＵＥバス４６へ送出されるレベルが制御される。入力チャンネル部４４から出力される２４チャンネルのディジタル信号は、ＭＩＸ１〜１２の１２本のミキシングバス（ＭＩＸバス）４５の１ないし複数に選択的に出力されると共に、ＣＵＥバス４６に出力される。
【００１７】
ＭＩＸバス４５においては、１２本の各バスにおいて、２４入力チャンネルのうちの任意のチャンネルから選択的に入力された１ないし複数のディジタル信号がミキシングされて、合計１２チャンネルのＭＩＸ出力がＭＩＸ出力チャンネル部（ＭＩＸ出力ｃｈ）４７に出力されている。これにより、１２通りにミキシングされた１２チャンネルのＭＩＸ出力を得ることができる。このＭＩＸバス４５からの出力を最終出力としてスピーカ等に供給する場合が多くされる。出力チャンネル部４７における各出力チャンネルには、コンプレッサ、イコライザ、チャンネル遅延手段、フェーダの出力パッチ４８へのレベル調整部が備えられており、これらの出力チャンネルにおいて、周波数特性および出力パッチ４８へ送出されるレベルが制御される。また、ＣＵＥバス４６には、入力チャンネル部４４から出力される２４チャンネルのディジタル信号が選択的に入力されていると共に、ＭＩＸ出力チャンネル部４７から出力される１２チャンネルのディジタル信号が選択的に入力されている。ＣＵＥ機能におけるＣＵＥモードにはラストＣＵＥとミックスＣＵＥの２つのモードがあり、以下に２つのモードについて説明する。
【００１８】
ラストＣＵＥモードでは、ＣＵＥを行っていないチャンネルを制御するチャンネルストリップ２１のＣＵＥスイッチ２１ｄが操作されたとき、それまでのＣＵＥを行っていたチャンネルのＣＵＥがキャンセルされ、ＣＵＥスイッチ２１ｄの操作されたチャンネルストリップ２１が制御するチャンネルだけがＣＵＥされるようになる。すなわち、ラストＣＵＥモードでは、ＣＵＥスイッチ２１ｄが操作された新たなチャンネルのＣＵＥだけを行うようになり、同時にＣＵＥできるチャンネルは１チャンネルだけとされる。なお、ＣＵＥスイッチ２１ｄは自照式とされており、ＣＵＥされているチャンネルストリップ２１のＣＵＥスイッチ２１ｄだけが点灯するようになり、その他のチャンネルストリップ２１のＣＵＥスイッチ２１ｄは消灯する。なお、ＣＵＥする信号は、各チャンネルにおける電動フェーダ１７の前ないし後のポイントを選択することができるようにされている。この場合、ＣＵＥする信号を取り出すポイントは、チャンネル毎ではなく全チャンネル共通でいずれかに選択される。また、既にＣＵＥされているチャンネルストリップ２１の点灯されているＣＵＥスイッチ２１ｄを更に操作した場合には、そのチャンネルのＣＵＥはキャンセルされてＣＵＥスイッチ２１ｄが消灯するトグル動作となる。
【００１９】
また、ミックスＣＵＥモードでは、各グループ毎に属する複数のチャンネルを同時にＣＵＥすることができる。グループは、入力チャンネルのグループと出力チャンネルのグループとに分けられている。ミックスＣＵＥモード時において新たなチャンネルのＣＵＥスイッチ２１ｄが操作されたときには、それまでのＣＵＥチャンネルが新たにＣＵＥ操作されたチャンネルと同じグループに属していれば、それまでのＣＵＥチャンネルを残したまま、該ＣＵＥスイッチ２１ｄが操作されたチャンネルもＣＵＥされるようになる。このように、ミックスＣＵＥモードでは同時に複数チャンネルをＣＵＥすることができ、ＣＵＥされる各チャンネルにおけるＣＵＥポイントの信号がＣＵＥバス４６へ出力され、ＣＵＥバス４６においてＣＵＥされる複数のチャンネルの信号が混合されてＣＵＥ信号として出力されるようになる。この場合、入力チャンネルのグループは出力チャンネルのグループとは異なることから、入力チャンネルがＣＵＥされている時に出力チャンネルを制御するＣＵＥスイッチ２１ｄが操作されると、入力チャンネルのＣＵＥはキャンセルされ、新たにＣＵＥスイッチ２１ｄが操作された出力チャンネルのグループがミックスＣＵＥできるようになる。
【００２０】
ラストＣＵＥモードおよびミックスＣＵＥモードには図２に図示しないモード切換スイッチにより切り換えることができ、いずれのモードに設定されている場合でもＣＵＥ信号はＣＵＥバス４６から出力されて遅延＆切換部５３に供給される。この遅延＆切換部５３には、ＣＵＥ信号に加えてモニタ用セレクタ５１で選択された１つ以上のチャンネルの信号が、モニタ用ミキサ部５２においてミキシングされモニタ信号として供給されている。そして、遅延＆切換部５３では、供給されたＣＵＥ信号とモニタ信号とを切り換えてモニタ用アナログ出力部５４に入力している。さらに、遅延＆切換部５３では、オペレータの位置において、メインのスピーカから聴こえてくる音響と、オペレータが検聴しているモニタ信号あるいはＣＵＥ信号との時間差を吸収するようＣＵＥ信号およびモニタ信号を遅延している。モニタ用アナログ出力部５４では入力されたディジタルのモニタ用信号を内蔵されているＤＡ変換器によりモニタ用アナログ信号に変換してモニタ用アナログ出力ポートから出力している。モニタ用アナログ出力ポートから出力されたモニタ用アナログ信号は、増幅されてモニタ用スピーカおよびヘッドフォン端子２５から出力される。
【００２１】
ＭＩＸ出力チャンネル部４７から出力される１２チャンネルのＭＩＸ出力は、出力パッチ４８に供給されている。出力パッチ４８では、信号の入力元であるＭＩＸ出力チャンネル部４７の１２チャンネルの何れか１つのチャンネルを、アナログ出力ポート部（Ａ出力）４９やディジタル出力ポート部（Ｄ出力）５０の各出力ポート毎に選択的にパッチ（結線）することができ、各出力ポートには、出力パッチ４８でパッチされたチャンネルからの信号が供給される。また、出力パッチ４８によりパッチされた信号が入力される内蔵エフェクタ４２では、リバーブ、エコーやコーラスのエフェクトがディジタルオーディオ信号に付加される。この内蔵エフェクタ４２も、信号処理部１５を構成しているＤＳＰにより実現されている。なお、内蔵エフェクタ４２では、入力された信号にエフェクトを付与した出力を入力パッチ４３に戻すようにしている。
【００２２】
また、複数のアナログ出力ポートを備えるアナログ出力ポート部（Ａ出力）４９へ供給されたディジタル出力信号は、内蔵されているＤＡ変換器によりアナログ出力信号に変換されてアナログ出力ポートから出力される。そして、アナログ出力ポート部（Ａ出力）４９から出力されるアナログ出力信号は、増幅されてスピーカから放音される。また、複数のディジタル出力ポートを備えるディジタル出力ポート部（Ｄ入力）５０から出力されるディジタルオーディオ信号は、マルチトラックレコーダやＤＡＴ等に供給されてディジタル録音することができるようにされている。
【００２３】
次に、２４チャンネルの入力チャンネル部４４における１チャンネル分の入力チャンネル４４ａの構成例を図４に示す。
図４に示すように１チャンネル分の入力チャンネル４４ａにおいて、入力パッチ４３から入力された信号は、リミッタ、コンプレッサ、イコライザ（ＥＱ）等の処理部６０でレベルや周波数特性が調整され、チャンネル遅延手段６１において所定時間遅延される。チャンネル遅延手段６１で信号を遅延するのは他の入力チャンネルにおける信号とのタイミングを合わせるためである。このチャンネル遅延手段６１により、ステレオ信号の場合にはＬ，Ｒチャンネルのタイミングを合わせられるようになる。チャンネル遅延手段６１から出力される信号はフェーダ（ＦＡＤＥＲ）に供給されると共に、ＣＵＥ用のプリ・ポスト切換スイッチ（ＰＰ）の接点ａに供給される。フェーダ（ＦＡＤＥＲ）によりレベルが制御された信号は入力チャンネルスイッチ（ＣＨ＿ＯＮ）を介してプリ・ポスト切換スイッチ（ＰＰ）の接点ｂに供給される。プリ・ポスト切換スイッチ（ＰＰ）の可動接点ｃから出力される信号はＣＵＥスイッチ（ＣＵＥ＿ＯＮ）を介してＣＵＥバス４６に供給されている。このプリ・ポスト切換スイッチ（ＰＰ）により、ＣＵＥされる信号をフェーダ（ＦＡＤＥＲ）の前後の信号に切り換えることができる。
【００２４】
ここで、入力チャンネル４４ａのプリ・ポスト切換スイッチ（ＰＰ）を接点ａ側に切り換えてＣＵＥスイッチ（ＣＵＥ＿ＯＮ）をオンすると、チャンネル遅延手段６１からの信号がＣＵＥバス４６に供給されるようになり、フェーダ（ＦＡＤＥＲ）でレベル制御される前の入力チャンネル信号をＣＵＥすることができるようになる。また、プリ・ポスト切換スイッチ（ＰＰ）を接点ｂ側に切り換えてＣＵＥスイッチ（ＣＵＥ＿ＯＮ）をオンすると、フェーダ（ＦＡＤＥＲ）の後段の入力チャンネルスイッチ（ＣＨ＿ＯＮ）からの信号がＣＵＥバス４６に供給されるようになり、フェーダ（ＦＡＤＥＲ）でレベル制御された後の入力チャンネル信号をＣＵＥすることができるようになる。
【００２５】
さらに、チャンネル遅延手段６１から出力される信号は、１２個のミキシング用のプリ・ポスト切換スイッチ（ＰＰ１〜ＰＰ１２）の接点ａに供給される。そして、フェーダ（ＦＡＤＥＲ）によりレベル制御された信号は入力チャンネルスイッチ（ＣＨ＿ＯＮ）を介して１２個のミキシング用のプリ・ポスト切換スイッチ（ＰＰ１〜ＰＰ１２）の接点ｂに供給される。１２個のミキシング用のプリ・ポスト切換スイッチ（ＰＰ１〜ＰＰ１２）の可動接点ｃから出力される信号は、１２個の送出レベル調整手段（ＳＮＤ＿Ｌ１〜ＳＮＤ＿Ｌ１２）でそれぞれ送出レベルが調整され、１２個の送出スイッチ（ＳＮＤ＿ＯＮ１〜ＳＮＤ＿ＯＮ１２）を介して１２本のＭＩＸバス４５の１本づつに供給されている。
【００２６】
ここで、１２個のミキシング用のプリ・ポスト切換スイッチ（ＰＰ１〜ＰＰ１２）を接点ａ側に切り換え、その送出スイッチ（ＳＮＤ＿ＯＮ１〜ＳＮＤ＿ＯＮ１２）をオンすると、フェーダ（ＦＡＤＥＲ）でレベル制御される前の信号が１２本のＭＩＸバス４５に供給されて、そのＭＩＸバス４５上でミキシングされるようになる。また、１２個のミキシング用のプリ・ポスト切換スイッチ（ＰＰ１〜ＰＰ１２）を接点ｂ側に切り換え、その送出スイッチ（ＳＮＤ＿ＯＮ１〜ＳＮＤ＿ＯＮ１２）をオンすると、フェーダ（ＦＡＤＥＲ）でレベル制御される前の信号が１２本のＭＩＸバス４５に供給されて、そのＭＩＸバス４５上でミキシングされるようになる。なお、プリ・ポスト切換スイッチ（ＰＰ１〜ＰＰ１２）、送出レベル調整手段（ＳＮＤ＿Ｌ１〜ＳＮＤ＿Ｌ１２）および送出スイッチ（ＳＮＤ＿ＯＮ１〜ＳＮＤ＿ＯＮ１２）の設定は、１２本のＭＩＸバス４５毎に所望の設定が行われる。
【００２７】
次に、１２チャンネルの出力チャンネル部４７における１チャンネル分の出力チャンネル４７ａの構成例を図５に示す。
図５に示すように１チャンネル分の出力チャンネル４７ａにおいて、１２本のＭＩＸバス４５のいずれかから出力された信号は、コンプレッサ、イコライザ（ＥＱ）等の処理部７０でレベルや周波数特性が調整される。処理部７０から出力される信号はフェーダ（ＦＡＤＥＲ）に供給されると共に、ＣＵＥ用のプリ・ポスト切換スイッチ（ＰＰ）の接点ａに供給される。フェーダ（ＦＡＤＥＲ）によりレベルが制御された信号はチャンネル遅延手段７１に供給されると共に、出力チャンネルスイッチ（ＣＨ＿ＯＮ）を介してプリ・ポスト切換スイッチ（ＰＰ）の接点ｂに供給される。このチャンネル遅延手段７１は、出力ポートからの出力が供給されるスピーカから出力される音響において聴衆の聴いている位置における定位状態を整えるために調整される。また、プリ・ポスト切換スイッチ（ＰＰ）の可動接点ｃから出力される信号はＣＵＥスイッチ（ＣＵＥ＿ＯＮ）を介してＣＵＥバス４６に供給されている。
【００２８】
ここで、出力チャンネル４７ａのプリ・ポスト切換スイッチ（ＰＰ）を接点ａ側に切り換えてＣＵＥスイッチ（ＣＵＥ＿ＯＮ）をオンすると、処理部７０からの信号がＣＵＥバス４６に供給されるようになり、フェーダ（ＦＡＤＥＲ）でレベル制御される前の出力チャンネル信号をＣＵＥすることができるようになる。また、プリ・ポスト切換スイッチ（ＰＰ）を接点ｂ側に切り換えてＣＵＥスイッチ（ＣＵＥ＿ＯＮ）をオンすると、フェーダ（ＦＡＤＥＲ）の後段である出力チャンネルスイッチ（ＣＨ＿ＯＮ）からの信号がＣＵＥバス４６に供給されるようになり、フェーダ（ＦＡＤＥＲ）でレベル制御された後の出力チャンネル信号をＣＵＥすることができるようになる。
なお、チャンネル遅延手段７１からの出力は出力パッチ４８へ出力されると共に、モニタ用セレクタ５１へ出力される。
上記した入力チャンネル４４ａにおける入力チャンネルスイッチ（ＣＨ＿ＯＮ）、および、出力チャンネル４７ａにおける出力チャンネルスイッチ（ＣＨ＿ＯＮ）は、当該チャンネルを制御するチャンネルストリップ２１のチャンネルスイッチ２１ｂに相当し、フェーダ（ＦＡＤＥＲ）のつまみは同様に電動フェーダ１７のフェーダつまみ２１ｃに相当し、ＣＵＥスイッチ（ＣＵＥ＿ＯＮ）は同様にＣＵＥスイッチ２１ｄに相当している。
【００２９】
次に、遅延＆切換部５３の構成の一例を図６に示す。この図に示すように、遅延＆切換部５３にはＣＵＥバス４６からのＣＵＥ信号とモニタ用ミキサ部５２からのモニタ信号が供給されている。ＣＵＥバス４６からのＣＵＥ信号は、切換スイッチＳＷの接点ｂに供給されていると共に、ＣＵＥ遅延部８０において所定時間遅延されて切換スイッチＳＷの接点ａに供給されている。切換スイッチＳＷの可動接点ｃから出力されるＣＵＥ信号はゲイン部８１によりレベル制御されてミキサ（ＭＩＸ）８４に供給されている。ＣＵＥ遅延部８０は、出力チャンネル部４７におけるチャンネル遅延手段７１の遅延時間と、スピーカで放音された音がオペレータの所に達するまでの伝播時間とを補償している。すなわち、オペレータの位置においてメインのスピーカから聴こえてくる音響と、オペレータが検聴しているモニタ信号あるいはＣＵＥ信号との時間差をＣＵＥ遅延部８０により吸収することができ、違和感なく検聴することができるようになる。
【００３０】
また、モニタ用ミキサ部５２からのモニタ信号は、モニタ遅延部８２において所定時間遅延されてゲイン部８３によりレベル制御され、ミキサ（ＭＩＸ）８４に供給されている。ミキサ（ＭＩＸ）８４においてはゲイン部８１から出力されるＣＵＥ信号と、ゲイン部８３から出力されるモニタ信号とが混合されて、混合された信号がモニタ用アナログ出力部５４から出力される。モニタ遅延部８２はＣＵＥ遅延部８０と同様に、出力チャンネル部４７におけるチャンネル遅延手段７１の遅延時間と、スピーカで放音された音がオペレータの所に達するまでの伝播時間とを補償している。
【００３１】
切換スイッチＳＷは、ＣＵＥされるチャンネルのグループが出力チャンネルのグループとされた場合に、自動的に接点ａ側に切り換えられＣＵＥ信号はＣＵＥ遅延部８０により上記のように所定時間遅延される。これにより、出力チャンネルの信号をスピーカからの音響と違和感なく検聴することができるようになる。そして、ＣＵＥされるチャンネルのグループが入力チャンネルのグループとされた場合には、切換スイッチＳＷは自動的に接点ｂ側に切り換えられＣＵＥ信号はＣＵＥ遅延部８０をバイパスするようになる。これは、入力チャンネルの信号がミキシング前の信号であってメインのスピーカから出力される音響信号の一部でしかないことから、その音響信号と位相を合わせて検聴しなければならない必要性はなく、むしろ、入力チャンネルの信号を検聴する場合にはＣＵＥ遅延の行われていないリアルタイムなＣＵＥ信号をモニタすることが望まれるからである
【００３２】
さらに、入力チャンネルあるいは出力チャンネルのＣＵＥスイッチ（ＣＵＥ＿ＯＮ）のいずれかがオンとなった際には、ゲイン部８３のゲインが自動的に絞られてモニタ用ミキサ部５２からのモニタ信号が減衰されると共に、ゲイン部８１のゲインがあげられてＣＵＥバス４６からのＣＵＥ信号が大きくなされる。ゲイン部８１，８３によるゲインの設定は任意に設定できるが、ＣＵＥ信号を検聴する場合にはモニタ信号も若干聞こえるようになる。また、ＣＵＥスイッチ（ＣＵＥ＿ＯＮ）のいずれもオフとされた際には、ゲイン部８１のゲインが自動的に最大限まで絞られてＣＵＥバス４６からのＣＵＥ信号はほぼ出力されないようになると共に、ゲイン部８３のゲインがあげられてモニタ用ミキサ部５２からのモニタ信号が大きくなされる。このように、モニタ信号を検聴する場合にはＣＵＥ信号は聞こえないようになる。
【００３３】
次に、入力チャンネルあるいは出力チャンネルのＣＵＥスイッチ２１ｄのいずれかが操作された際に実行されるＣＵＥ（ｉ）ＳＷの操作イベント処理のフローチャートを図７に示す。このＣＵＥ（ｉ）ＳＷの操作イベント処理を実行するプログラムは、フラッシュメモリ１１に格納されているミキシング制御プログラムの内の一つのプログラムとされている。
入力チャンネルあるいは出力チャンネルのＣＵＥスイッチ２１ｄのいずれかが操作されると、ＣＵＥ（ｉ）ＳＷの操作イベント処理が起動されてステップＳ１０にて、ＣＵＥスイッチ２１ｄの操作されたチャンネルを識別するＣＨ（ＬＮ，ｉ）がチャンネルｃに置き換えられる。この場合、ＣＨ（ＬＮ，ｉ）はチャンネルストリップ２１で制御するマスタ１，レイヤ１，レイヤ２のいずれかを示す識別番号ＬＮと、１２チャンネル分のチャンネルストリップ２１の内のｉ番目で示され、ｉ番目のチャンネルストリップ２１が制御する入力チャンネルあるいは出力チャンネルのいずれかに相当する。また、チャンネルｃは入力チャンネルおよび出力チャンネルの内のいずれか１つのチャンネルを示すことのできるチャンネルの番号とされる。ここでは、チャンネルストリップ２１が制御するチャンネルがレイヤ１（１〜１２入力チャンネル）とされている場合にチャンネルｃはチャンネル１〜１２のいずれかとされ、チャンネルストリップ２１が制御するチャンネルがレイヤ２（１３〜２４入力チャンネル）とされている場合にチャンネルｃはチャンネル１３〜２４のいずれかとされ、チャンネルストリップ２１が制御するチャンネルがマスタ１（１〜１２出力チャンネル）とされている場合にチャンネルｃはチャンネル２５〜３６のいずれかとされる。このようにして、チャンネル１〜３６により全ての入力チャンネルおよび出力チャンネルを特定している。
【００３４】
次いで、ステップＳ１１にてチャンネルｃにおけるＣＵＥスイッチ（ＣＵＥ＿ＯＮ）がオフとなっていてＣＯＮ（ｃ）＝０とされていたか否かが判断される。ＣＯＮ（ｃ）は、チャンネルｃのＣＵＥのオン／オフ状態を示しており、ＣＯＮ（ｃ）が”０”の場合はＣＵＥがオフとされており、ＣＯＮ（ｃ）が”１”の場合はＣＵＥがオンとされている。ここで、チャンネルｃにおけるＣＵＥスイッチ（ＣＵＥ＿ＯＮ）がオフとなっていた場合（ＣＯＮ（ｃ）＝０）は、ＹＥＳと判断されてステップＳ１７に分岐する。この場合は、オフとされていたＣＵＥスイッチ（ＣＵＥ＿ＯＮ）が操作されてオンとなったことになるので、以下のオンイベント処理が行われる。すなわち、ステップＳ１７にてＣＵＥ中のグループを示すＣＳの値を確認する。この場合、ＣＳが”０”の場合はいずれのグループのＣＵＥもオフとされており、ＣＳが”１”の場合は入力チャンネルのグループがＣＵＥされている状態であり、ＣＳが”２”の場合は出力チャンネルのグループがＣＵＥされている状態である。そこで、ＣＳの値を確認してチャンネルｃの属するグループがＣＵＥ中か否かを判断した結果、ＣＵＥスイッチ（ＣＵＥ＿ＯＮ）が操作されたチャンネルｃの属するグループがＣＵＥ中と判断された場合はステップＳ２２に進み、ＭＣの値が”０”か否か判断される。ＭＣは、ＣＵＥモードの状態を示す値でありＭＣが”０”の場合は単一ＣＵＥモード、すなわち前述したラストＣＵＥモードとされていることを示しており、ＭＣが”１”の場合はＭＩＸＣＵＥモード、すなわち前述したミックスＣＵＥモードとされていることを示している。
【００３５】
このステップＳ２２にてＭＣの値が”０”となっていて単一ＣＵＥモードと判断された場合は、ステップＳ２４に分岐してＣＯＮ（ｃ）を”１”としてＣＵＥスイッチ（ＣＵＥ＿ＯＮ）が操作されたチャンネルｃのＣＵＥをＯＮとし、他の全チャンネルのＣＯＮを”０”にすることにより、他の全チャンネルのＣＵＥをキャンセルする。そして、ＣＵＥ（ｉ）ＳＷの操作イベント処理は終了する。また、ステップＳ２２にてＭＣの値が”１”となっていて単一ＣＵＥモードではないと判断された場合は、ステップＳ２３に進んでＣＯＮ（ｃ）を”１”としてＣＵＥスイッチ（ＣＵＥ＿ＯＮ）が操作されたチャンネルｃのＣＵＥをＯＮとする。この場合は、他のＣＵＥがＯＮされているチャンネルと同時にチャンネルｃがＣＵＥされるようになる。そして、ＣＵＥ（ｉ）ＳＷの操作イベント処理は終了する。
【００３６】
また、ステップＳ１７にてＣＳの値を確認した際にＣＵＥスイッチ（ＣＵＥ＿ＯＮ）が操作されたチャンネルｃの属するグループがＣＵＥ中でないと判断された場合はステップＳ１８に分岐する。この場合は、ＣＵＥするグループが変更されることからステップＳ１８において全チャンネルのＣＯＮを”０”として全チャンネルのＣＵＥをオフする。次いで、ステップＳ１９にてＣＵＥスイッチ（ＣＵＥ＿ＯＮ）が操作されたチャンネルｃの属するグループに応じてＣＵＥ遅延部８０をバイパスするか否か決定する。この場合、当該グループが入力チャンネルのグループと判断された場合は、切換スイッチＳＷを接点ｂ側に切り換えてＣＵＥ遅延部８０をバイパスさせて、遅延されないＣＵＥ信号とする。また、当該グループが出力チャンネルのグループと判断された場合は、切換スイッチＳＷを接点ａ側に切り換えてＣＵＥ遅延部８０によりＣＵＥ信号を遅延させる。これにより、オペレータの位置においてメインのスピーカから聴こえてくる音響と、オペレータが検聴しているＣＵＥ信号との時間差をなくすことができる。
【００３７】
ステップＳ１９の処理が終了するとステップＳ２０にてＣＵＥ信号が主なモニタ用アナログ出力となるようにゲイン部８３のゲインが自動的に絞られてモニタ信号が減衰されると共に、ゲイン部８１のゲインがあげられてＣＵＥ信号が大きくされる。次いで、ステップＳ２１にてＣＵＥスイッチ（ＣＵＥ＿ＯＮ）が操作されたチャンネルｃの属するグループがＣＵＥ中とされていることを示す番号（当該グループが入力チャンネルの場合は”１”、当該グループが出力チャンネルの場合は”２”）にＣＳを書き換え、ステップＳ２２に進む。以下は前述したように、ＣＵＥモードが単一モード（ラストＣＵＥモード）とされていた場合には、ＣＵＥスイッチ（ＣＵＥ＿ＯＮ）が操作されたチャンネルｃだけがＣＵＥされて、同じグループであっても他のすべてのチャンネルのＣＵＥはキャンセルされるように処理される。また、ＣＵＥモードがＭＩＸＣＵＥモード（ミックスＣＵＥモード）とされていた場合は、ＣＵＥスイッチ（ＣＵＥ＿ＯＮ）が操作されたチャンネルｃが同じグループのＣＵＥされているチャンネルに付け加えられるように処理される。これにより、ＣＵＥ（ｉ）ＳＷの操作イベント処理は終了する。
【００３８】
さらに、ステップＳ１１にてチャンネルｃにおけるＣＵＥスイッチ（ＣＵＥ＿ＯＮ）がオンとなっていた場合（ＣＯＮ（ｃ）＝１）は、ＮＯと判断されてステップＳ１２に進む。この場合は、オンとされていたＣＵＥスイッチ（ＣＵＥ＿ＯＮ）が操作されてオフとなったことになるので、以下のオフイベント処理が行われる。すなわち、ステップＳ１２にてＣＯＮ（ｃ）が”０”とされて、ＣＵＥスイッチ（ＣＵＥ＿ＯＮ）が操作されたチャンネルｃのＣＵＥがオフされる。次いで、ステップＳ１３にてＭＣの値が”０”とされて単一ＣＵＥ（ラストＣＵＥ）モードか否か判断される。ここで、ＭＣ＝０とされて単一ＣＵＥ（ラストＣＵＥ）モードと判断された場合は全てのチャンネルのＣＵＥはオフされたことになるので、ステップＳ１５に分岐してモニタ信号がモニタ用アナログ出力となるようにゲイン部８１のゲインが自動的に最大限まで絞られてＣＵＥ信号はほぼ出力されないようになると共に、ゲイン部８３のゲインがあげられてモニタ信号が大きくされる。そして、ステップＳ１６にてＣＵＥの状態を示すＣＳに”０”がセットされて全チャンネルのＣＵＥがオフとなった状態とされる。ステップＳ１６の処理が終了すると、ＣＵＥ（ｉ）ＳＷの操作イベント処理は終了する。
【００３９】
また、ステップＳ１３にてＭＣ＝０とされておらず単一ＣＵＥ（ラストＣＵＥ）モードではないと判断された場合は、ＭＩＸＣＵＥ（ミックスＣＵＥ）モードとされていることになり、ステップＳ１４に進み全チャンネルのＣＯＮが”０”であって全チャンネルのＣＵＥがオフされているか否かが判断される。ここで、全チャンネルのＣＯＮが”０”であって全チャンネルのＣＵＥがオフされていると判断された場合は、ステップＳ１５に分岐して前述したように、モニタ信号がモニタ用アナログ出力となるようにゲイン部８１とゲイン部８３のゲイン制御が行われ、ＣＳに”０”がセットされて全チャンネルのＣＵＥがオフとなった状態とされ、ＣＵＥ（ｉ）ＳＷの操作イベント処理は終了する。
なお、ステップＳ１４にて全チャンネルのＣＯＮが”０”とされておらず全チャンネルのＣＵＥがオフされていないと判断された場合は、ＭＩＸＣＵＥ（ミックスＣＵＥ）モードでＣＵＥされているチャンネルが残っていることからそのままＣＵＥ（ｉ）ＳＷの操作イベント処理は終了する。
【００４０】
以上説明した本発明に係るミキシング装置には、各バスに対し特定の入力チャンネル信号のうちのＳＯＬＯ指定した入力チャンネルの信号だけをオンして出力する入力ＳＯＬＯ機能や、複数の出力チャンネルのうちのＳＯＬＯ指定した出力チャンネルの信号だけをオンして出力する出力ＳＯＬＯ機能を有しているミキシング装置もある。このＳＯＬＯ機能を有効化して入力チャンネルがＳＯＬＯ指定されたり、出力チャンネルがＳＯＬＯ指定されたりした場合でも、これを検聴するためのモニタ信号はモニタ遅延部８２を介してモニタ用アナログ出力部５４に出力され、入力チャンネルか出力チャンネルかに関わらずモニタ遅延部８２により遅延されるようになる。
【産業上の利用可能性】
【００４１】
上記の説明では、説明の簡単化のため、入力チャンネル、ＭＩＸバス４５、出力チャンネル、ＣＵＥバス４６ともモノラル構成で説明していたが、それぞれステレオ構成にすることができる。その場合には、ステレオの信号をモニタやＣＵＥできるよう、モニタ用セレクタ５１，モニタ用ミキサ部５２，遅延＆切換部５３もステレオ構成とする。さらに、５．１ｃｈ、７．１ｃｈ等のそれ以上の構成も同様にして実現することができる。このように、本発明のミキシング装置においてはステレオ構成や多チャンネルの構成とすることができる。
【図面の簡単な説明】
【００４２】
【図１】本発明のミキシング装置の実施例であるディジタルミキサの構成を示すブロック図である。
【図２】本発明のミキシング装置の実施例であるディジタルミキサにおけるパネルの外観の概略を示す図である。
【図３】本発明のミキシング装置の実施例であるディジタルミキサにおいてミキシング処理が行われる等価的な機能ブロック図である。
【図４】本発明のミキシング装置の実施例であるディジタルミキサにおける入力チャンネル部の１チャンネル分の構成例を示す図である。
【図５】本発明のミキシング装置の実施例であるディジタルミキサにおける出力チャンネル部の１チャンネル分の構成例を示す図である。
【図６】本発明のミキシング装置の実施例であるディジタルミキサにおける遅延＆切換部の構成例を示す図である。
【図７】本発明のミキシング装置の実施例であるディジタルミキサにおいて実行されるＣＵＥ（ｉ）ＳＷの操作イベント処理のフローチャートである。
【符号の説明】
【００４３】
１  ディジタルミキサ、１０  ＣＰＵ、１１  フラッシュメモリ、１２  ＲＡＭ、１３  その他Ｉ／Ｏ、１４  波形Ｉ／Ｏ、１５  信号処理部、１６  表示器、１７  電動フェーダ、１８  操作子、１９  バス、２０  操作者用モニタ、２１  チャンネルストリップ、２１ａ  選択スイッチ、２１ｂ  チャンネルスイッチ、２１ｃ  フェーダつまみ、２１ｄ  ＣＵＥスイッチ、２２  モニタ用セレクタスイッチ、２３  モニタ＆ＣＵＥ遅延調整つまみ、２４  ヘッドフォン音量つまみ、２５  ヘッドフォン端子、２６  スイッチ、２７  スイッチ、２８  スイッチ、２９  カーソル移動キー、３０  増減キー、３１  ロータリエンコーダ、３２  エンターキー、４２  内蔵エフェクタ、４３  入力パッチ、４４  入力チャンネル部、４４ａ  入力チャンネル、４５  ＭＩＸバス、４６  ＣＵＥバス、４７  出力チャンネル部、４７ａ  出力チャンネル、４８  出力パッチ、５１  モニタ用セレクタ、５２  モニタ用ミキサ部、５３  遅延＆切換部、５４  モニタ用アナログ出力部、６０  処理部、６１  チャンネル遅延手段、７０  処理部、７１  チャンネル遅延手段、８０  ＣＵＥ遅延部、８１  ゲイン部、８２  モニタ遅延部、８３  ゲイン部、８４  ミキサ
【図１】
2005252328.tif 000003
【図２】
2005252328.tif 000004
【図３】
2005252328.tif 000005
【図４】
2005252328.tif 000006
【図５】
2005252328.tif 000007
【図６】
2005252328.tif 000008
【図７】
2005252328.tif 000009